(57)【要約】      （修正有）【課題】ウイルス病の防除コストが低く、且つ実現方式が簡単な農業用空気浄化システムを提供する。【解決手段】作物を栽培するための播種室と、前記播種室上に設けられた吸気口と、前記吸気口に設けられた空気浄化モジュールと、前記空気浄化モジュールに接続し、また前記空気浄化モジュールの運転状態を制御するためのメインコントロールユニット１とを有する構成において、前記空気浄化モジュールが、前記吸気口内のマイナスイオン発生器５を更に含むことを特徴とする。【選択図】図２
0003206772.tif 000002
【実用新案登録請求の範囲】
【請求項１】
作物を栽培するための播種室と、前記播種室上に設けられた吸気口と、前記吸気口に設けられた空気浄化モジュールと、前記空気浄化モジュールに接続し、また前記空気浄化モジュールの運転状態を制御するためのメインコントロールユニットとを有する構成において、
前記空気浄化モジュールが、前記吸気口内のマイナスイオン発生器を更に含む
ことを特徴とする農業用空気浄化システム。
【請求項２】
前記農業用空気浄化システムが、前記メインコントロールユニットに接続する温度検査温度測定ユニットを更に含み、前記温度測定ユニットが前記播種室内の温度をリアルタイムで監視し、前記メインコントロールユニットが前記温度測定ユニットの測定結果に基づいて前記播種室内の温度を自動調節することを特徴とする請求項６に記載の農業用空気浄化システム。
【請求項３】
前記メインコントロールユニットに接続するＣＯ２濃度測定ユニットを更に含み、前記ＣＯ２濃度測定ユニットが前記播種室内のＣＯ２濃度を監視して前記メインコントロールユニットにフィードバックすることで前記空気浄化モジュールの運転状態を調整するために用いられることを特徴とする請求項１又は２に記載の農業用空気浄化システム。
【請求項４】
前記メインコントロールユニットに接続する粒子状物質測定ユニットを更に含み、前記粒子状物質測定ユニットが前記播種室内の粒子状物質含有量を監視してにフィードバックすることで前記空気浄化モジュールの運転状態を調整するために用いられることを特徴とする請求項１又は２に記載の農業用空気浄化システム。
【考案の詳細な説明】
【技術分野】
【０００１】
本考案は、農業ウイルス病の予防と防除技術分野に関し、特に、農業用空気浄化システムに関する。
【背景技術】
【０００２】
ウイルス病は、農業生産中治療が難しい病害で、植物にウイルスが寄生して発生する病気の総称である。植物ウイルス種類が多く、宿主細胞内で寄生生活を送り、特異性が強く、通常某種ウイルスが某種又は幾つかの植物のみに感染できるが、少数のウイルス危害でも幅広いものもあり、例えばタバコモザイクウイルスとキュウリモザイクウイルスである。ウイルス感染は局所性と全身性があり、局所性感染のウイルスは侵入点付近にあり、植物局所に壊疽斑点が現れる。全身性感染のウイルスは全株まで拡散し、ウイルスが細胞間に移行でき、維管束組織を通じて移行することもできる。若干のウイルスは、胚珠、花粉へ侵入できるため、種子に感染し、例えばタバコモザイクウイルス或いはラズベリー黄化ウイルスがある。農作物は、ウイルス病の被害を受けた後、往々にして変色、壊死、奇形、萎縮及び腐敗が現れる。
【０００３】
ウイルスの伝染様式は、主に２種類があり、１つは接触伝染で、病葉と健全葉とが風で触れあい、傷つきあってウイルスが汁液を通じて侵入し、例えばよく見られルキュウリモザイクウイルス病は、畑での農作業と汁液を経由して接触伝搬する。２つ目は虫媒伝染である。
【０００４】
１種のウイルスは、１種又は数種の類似する媒介者のみを経由して伝染でき、１種の媒介者は多種類ウイルスを伝染でき、例えばタバココナジラミは７０種類余りのウイルスを伝染できる。ウイルスを伝搬する媒介者は、必ず農作物上の主な病害虫であるわけはない。２００種類のアブラムシにより伝搬される植物ウイルスがある。例えばキュウリモザイクウイルスは、主にモモアカアブラムシによりウイルスを伝搬し、ウイルス感染時期がアブラムシ飛来ピーク期と当たる場合、著しくなる。ヨコバイ及びウンカは、ウイルスを永続的に伝搬し、卵を通じて伝搬するものもある。例えば、コムギ赤萎病はフタテンヒメヨコバイによりウイルスを伝搬し、一般的に山間の麦畑で発生し、被害コムギが萎縮し、草丈が正常株の１／２にも届かず、葉が赤化する。近年トウモロコシ萎縮モザイクウイルスは、春のトウモロコシ及び早播の夏トウモロコシ畑で局所発生し、畑内の草丈も揃わず、著しいのは、株が出穂しないため収穫できない。線虫、真菌もウイルス病を伝搬する媒介者である。土壌中の線虫、真菌はウイルスを伝搬する。例えば、キュウリ緑斑モザイクウイルス病は、種と土壌により伝搬する。例えば近年トマトの著しい損失が起きたトマト黄化葉巻病は、タバココナジラミによりウイルスを伝搬する。
【０００５】
ウイルス病の防除について、現在主に予防し、まず病害抵抗性品種の選択と種の消毒で、次に病株の手動除去及び消毒で、そして農薬で防除する。ウイルス病が著しくなった後、抗ウイルス剤、Cytosinpeptidemycin等の薬剤に依存して防除するのが根治が非常に難しく、且つ１種類の薬剤で全てのウイルス病を防除できない。これに加え防除コストも非常に高く、且つ病害虫防除の専門経験が必要とされ、ハードルも高い。よって、防除コストが低く、且つ簡単な農作物ウイルス防除の実現方式を導入することは、特に、重要である。
【考案の概要】
【考案が解決しようとする課題】
【０００６】
そこで、本考案は、従来の技術に不足することを鑑み、ウイルス病の防除コストが低く、且つ実現方式が簡単な農業用空気浄化システムを提供することを目的とする。
【課題を解決するための手段】
【０００７】
上記目的を達成するため、本考案は、次の技術方案を用い、つまり本考案の農業用空気浄化システムは、作物を栽培するための播種室と、前記播種室上に設けられた吸気口と、前記吸気口に設けられた空気浄化モジュールと、前記空気浄化モジュールに接続し、また前記空気浄化モジュールの運転状態を制御するためのメインコントロールユニットとを含む。
【０００８】
好ましくは、前記吸気口が管路構造で、前記空気浄化モジュールが前記吸気口内壁に塗布された光触媒と、前記光触媒に向かう光源とを含む。
【０００９】
好ましくは、前記空気浄化モジュールが、前記吸気口内に設けられたフィルタを更に含む。
【００１０】
好ましくは、前記空気浄化モジュールが、前記吸気口内に設けられた高圧放電モジュールを更に含み、前記高圧放電モジュールが間隔を置いて設けられた正極性放電ユニットと負極性放電ユニットとを包括する。
【００１１】
好ましくは、前記正極性放電ユニットと前記負極性放電ユニットの少なくとも１個が、網状構造とする。
【００１２】
好ましくは、前記空気浄化モジュールが、前記吸気口内のマイナスイオン発生器を更に含む。
【００１３】
好ましくは、前記農業用空気浄化システムが、前記メインコントロールユニットに接続する温度検査温度測定ユニットを更に含み、前記温度測定ユニットが前記播種室内の温度をリアルタイムで監視し、前記メインコントロールユニットが前記温度測定ユニットの測定結果に基づいて前記播種室内の温度を自動調節する。
【００１４】
好ましくは、前記吸気口内に換気扇が設けられている。
【００１５】
好ましくは、前記農業用空気浄化システムが、前記メインコントロールユニットに接続するＣＯ２濃度測定ユニットを更に含み、前記ＣＯ２濃度測定ユニットが前記播種室内のＣＯ２濃度を監視して前記メインコントロールユニットにフィードバックすることで前記空気浄化モジュールの運転状態を調整するために用いられる。
【００１６】
好ましくは、前記農業用空気浄化システムが、前記メインコントロールユニットに接続する粒子状物質測定ユニットを更に含み、前記粒子状物質測定ユニットが前記播種室内の粒子状物質含有量を監視してにフィードバックすることで前記空気浄化モジュールの運転状態を調整するために用いられる。
【考案の効果】
【００１７】
本考案の農業用空気浄化システムの播種室は空気浄化モジュールと連接し、メインコントロールユニットを通じて安易に播種室内の空気環境の調整を実現でき、手作業による介入の必要がない。物理ろ過、高圧放電、ナノ光触媒殺菌及びマイナスイオンの浄化を通じて、ウイルス病が発生する病原（ウイルス）及び伝搬媒介者（ダニ等）を一括で除去でき、専門家等による介入の必要がなく、スマート化の程度も高く、防除コストが低く、且つ実現方式も簡単で、広く普及するに適している。
【図面の簡単な説明】
【００１８】
【図１】本考案の実施例に係る農業用空気浄化システムの原理図である。
【図２】本考案の実施例に係る農業用空気浄化システムの空気浄化モジュール構造を示す模式図である。
【考案を実施するための形態】
【００１９】
本考案の目的、技術方案及び利点をより一層明確で理解してもらうため、以下、添付図面及び実施例を組み合わせて本考案を詳細に説明する。ここで記述する具体的実施例は、あくまでも本考案の技術内容を明らかにするものであって、このような具体例に限定されるものではないと理解されるべきである。
【００２０】
本考案の農業用空気浄化システムは、全自動無人化を実現でき、複雑な手作業による介入の操作或いは専門家の指導の必要がない。システムは、空気が播種室に入る前に空気を浄化して播種室内の空気品質状況によって空気浄化効果及び播種室内の環境を自動調節できる。
【００２１】
図１を参照すると、本実施例の農業用空気浄化システムは、作物を栽培するための播種室１０と、播種室１０上に設けられた吸気口２０と、吸気口２０に設けられた空気浄化モジュール３０と、メインコントロールユニット（図示せず）とを含む。メインコントロールユニットは、空気浄化モジュール３０に接続され、空気浄化モジュール３０の例えば浄化程度、運転時間等の運転状態を制御するために用いられる。
【００２２】
図２に示すように吸気口２０は、管路構造であり、空気浄化モジュール３０が例えば光触媒浄化ユニット２を有することができ、吸気口２０内壁に塗布された光触媒と、光触媒に向かう光源とを包括し、光触媒がナノスケール二酸化チタン活性材料で、適した光源の照射において表面が励起を発生して還元と酸化力の強い電子と空孔を生成し、空気中の作物に対して脅威となるウイルス、細菌及び若干の有害化学物質等を除去でき、ウイルス病の伝染源も効果的に遮断できる。
【００２３】
空気中の粉塵等の粒子状物質を除去し、更にウイルス病伝染経路を遮断するため、空気浄化モジュール３０は、吸気口２０内に設けられたフィルタ３を更に有し、該フィルタ３が管路の長手方向と直交して配置され、ＨＥＰＡフィルタ（即ち、高性能微粒子エアフィルタ）を用いることが好ましい。該フィルタ３は、好適には管路の光触媒を有するセグメントの上流に設けられ、効果的に空気中の化学煙霧、細菌、塵埃微粒子及び粉末等のウイルスの伝搬媒介者とする可能性のある粒子状物質をろ過できる。該フィルタ３も活性炭フィルタを用いると、更に有毒有害ガスを吸着できると理解されるべきである。
【００２４】
空気浄化モジュール３０は、吸気口２０内に設けられた高圧放電モジュール４を更に有することができる。高圧放電モジュール４は、間隔を置いて設けられた正極性放電ユニットと負極性放電ユニットとを包括し、正極性放電ユニットと負極性放電ユニットの少なくとも１個が網状構造とし、高圧静電気を帯び網状構造が通過する汚染粒子状物質を吸着することで、管路中に通過する空気中の汚染粒子状物質を浄化する目的を達成できる。該網状構造は取り外し可能な構造であり、作業者が定期的に該網状構造を取り外して洗浄することで、空気淨化効果を保証し、二次汚染の発生を防止できる。播種室１０には、必要がある時、対流を形成するため、通気口を設けることができ、また通気口にフィルタ等を設ける。
【００２５】
このほかに、空気浄化モジュール３０は、吸気口２０内のマイナスイオン発生器５を更に含む。該マイナスイオン発生器５は、ブラシを電荷担体とし、先にパルス、振動を利用して低電圧を直流負電圧までに上昇してからブラシ先端の直流高圧を利用して高コロナを発生し、大量の電子を高速放出し、その電子が酸素分子にぶつかることにより大量のマイナスイオンが出来上がり、更に空気中の塵埃と汚染粒子状物質を吸着できる。ブラシは吸気口２０の中央部に固定され、管路の長手方向に平行となり、最大限で管路断面を覆うコロナを発生できる。
【００２６】
図１を参照すると、本実施例の播種室１０は、播種ラックＫを通じて複数のサブ領域１００に仕切り、各サブ領域１００内に複数の農作物Ｓを栽培し、播種室１０全体が１個の空気浄化モジュール３０を共用する。その他の実施形態において、利用者も異なる作物の需要に基づいて、各サブ領域１００を隔離して各サブ領域１００に１個の吸気口２０、空気浄化モジュール３０及び通気口を各々設けることができ、異なるサブ領域１００は異なる農作物Ｓを播種することができ、異なる農作物によって対応の浄化パラメータを配置して互いに影響せず、全ての空気浄化モジュール３０が１台のメインコントロールユニット１を通じて制御する。播種室１０内の農作物Ｓは、光合成作用により空気中のＣＯ２を消費して酸素を放出し、通気口を通じて対流を形成して排出する。必要がある時、光合成作用の需要を満たすため、補光用光源を更に設けることができる。
【００２７】
本考案の農業用空気浄化システムは、メインコントロールユニット１に接続する温度測定ユニットとＣＯ２濃度測定ユニットとを更に含み、温度測定ユニットを通じてリアルタイムで播種室１０内の温度を監視でき、ＣＯ２濃度測定ユニットが播種室１０内のＣＯ２濃度を監視するために用いられる。メインコントロールユニット１は、温度測定ユニットの測定結果に基づいて播種室１０内の温度を予定の正常温度範囲までに自動調節でき、更にＣＯ２濃度測定ユニットの測定結果に基づいて空気浄化モジュール３０の運転状態を制御できることで、播種室１０内の作物の正常生長を保証する。異なる空気清浄度（例えば大変良好、良好、普通）又は異なる運転電力（例えば高、中、低）に対応するため、空気浄化モジュール３０の運転状態は、非常に多い態様を有することができ、例えば動作状態、停止状態であり、動作状態が複数の異なるレンジを更に包括できる。
【００２８】
本実施例は、吸気口２０内に換気扇Ｆを更に設けており、換気扇Ｆの回転軸が吸気口２０の吸気方向に平行となる。メインコントロールユニット１は、該換気扇Ｆの回転速度の制御を通じて空気の進入速度を制御でき、間接的に空気淨化速度も制御する。このほかに、換気扇Ｆはマイナスイオン発生器５の上流に設けられ、淨化後の空気とマイナスイオンを播種室１０に向かって吹き付けることができる。
【００２９】
一実施形態として、本実施例に係る農業用空気浄化システムは、メインコントロールユニット１に接続する粒子状物質測定ユニットを更に有する。粒子状物質測定ユニットは、播種室１０内の粒子状物質含有量を監視してメインコントロールユニット１にフィードバックすることで、空気浄化モジュール３０の運転状態を調整するために用いられる。室内の粒子状物質は予定値を超えたことを検出した時、メインコントロールユニット１は、空気浄化モジュール３０を制御して加速浄化して室内の空気を希釈する。
【００３０】
一実施形態として、本実施例に係る農業用空気浄化システムは、定時ユニット６を更に有する。利用者は、需要に応じて浄化システムの使用時間帯を設定し、メインコントロールユニット１がコマンドによって対応する時間帯に浄化機能のオンとオフを制御できる。
【産業上の利用可能性】
【００３１】
本考案の農業用空気浄化システムのスマート程度が高く、伝染源と伝搬媒介者上から同時にウイルス病を予防でき、例えばグリーンハウス、屋内盆栽、植物工場、植物組織培養室、ハイテク研究栽培試験所等の屋内外の各種植物の播種室に幅広く運用できる。本考案の農業用空気浄化システムの播種室は空気浄化モジュールと連接し、メインコントロールユニットを通じて安易に播種室内の空気環境の調整を実現でき、手作業による介入の必要がない。物理ろ過、高圧放電、ナノ光触媒殺菌及びマイナスイオンの浄化を通じて、ウイルス病が発生する病原（ウイルス）及び伝搬媒介者（ダニ等）を一括で除去でき、専門家等による介入の必要がなく、スマート化の程度も高く、防除コストが低く、且つ実現方式も簡単で、広く普及するに適している。
【００３２】
以上に述べたのは、本考案の具体的実施形態であり、本考案の原理から逸脱することなく、様々に改良と修正や変更できるのは当業者には明らかである。これら改良と修正や変更は本考案の保護範囲として見なさなければならない。
【図１】
0003206772.tif 000003
【図２】
0003206772.tif 000004
【手続補正書】
【提出日】平成28年7月28日(2016.7.28)
【手続補正１】
【補正対象書類名】実用新案登録請求の範囲
【補正対象項目名】全文
【補正方法】変更
【補正の内容】
【実用新案登録請求の範囲】
【請求項１】
作物を栽培するための播種室と、前記播種室上に設けられた吸気口と、前記吸気口に設けられた空気浄化モジュールと、前記空気浄化モジュールに接続し、また前記空気浄化モジュールの運転状態を制御するためのメインコントロールユニットとを有する構成において、
前記空気浄化モジュールが、前記吸気口内のマイナスイオン発生器を更に含む
ことを特徴とする農業用空気浄化システム。
【請求項２】
前記農業用空気浄化システムが、前記メインコントロールユニットに接続する温度検査温度測定ユニットを更に含み、前記温度測定ユニットが前記播種室内の温度をリアルタイムで監視し、前記メインコントロールユニットが前記温度測定ユニットの測定結果に基づいて前記播種室内の温度を自動調節することを特徴とする請求項１に記載の農業用空気浄化システム。
【請求項３】
前記メインコントロールユニットに接続するＣＯ２濃度測定ユニットを更に含み、前記ＣＯ２濃度測定ユニットが前記播種室内のＣＯ２濃度を監視して前記メインコントロールユニットにフィードバックすることで前記空気浄化モジュールの運転状態を調整するために用いられることを特徴とする請求項１又は２に記載の農業用空気浄化システム。
【請求項４】
前記メインコントロールユニットに接続する粒子状物質測定ユニットを更に含み、前記粒子状物質測定ユニットが前記播種室内の粒子状物質含有量を監視してにフィードバックすることで前記空気浄化モジュールの運転状態を調整するために用いられることを特徴とする請求項１又は２に記載の農業用空気浄化システム。